(57)【要約】【課題】顔面表面を噴流で洗顔したり負圧で吸引する方式では不十分であり、毛穴の奥に入り込んだ汚れは十分落とせるものではない。またマサージも顔面にパッドを当てがうだけでは効果はあまり期待できない等の問題点を克服するために、顔の肌の汚れや皮脂を落として細胞を活性化するコンパクト機構で低コストの洗顔器を提供する。【解決手段】  洗顔器１００は、噴射口１４を有する導液管８と、該回転軸を回転させる駆動部モーター１２と、導液管８と、前記導液管８の噴射口１４に液体を供給する供液部（貯水タンク３、貯水室１５、）と、から構成されており、前記回転筒７が回転しながら噴射口１４から流体を噴出して泡立て擦り洗顔する。【選択図】図２
2008154982.tif 000002
【特許請求の範囲】
【請求項１】
一端にアタッチメントを着脱自在に係合する中空の回転筒と、該回転筒を回転せしめる駆動部と、一端に噴射口を有し、上記回転筒の内部に配設された導液管と、上記導液管に液体を供給する供液部と、からなり、
上記供液部は、上記噴射口より上部に位置する貯液タンクを有し、該貯液タンクの液体が自然落下により上記導液管を介して噴射口からアタッチメントに噴射するとともに、上記回転筒の回転によりアタッチメントを回転せしめることを特徴とする洗浄器。
【請求項２】
一端にアタッチメントを着脱自在に係合する中空の回転筒と、該回転筒を回転せしめる駆動部と、上記回転筒の内部に液体を供給する供液部と、からなり、
上記回転筒は噴射口を備え、
上記供液部は、上記噴射口より上部に位置する貯液タンクを有し、該貯液タンクの液体が自然落下により上記回転筒を介して噴射口からアタッチメントに噴射するとともに、上記回転筒の回転によりアタッチメントを回転せしめることを特徴とする洗浄器。
【請求項３】
上記回転筒の内壁面に液体を旋回せしめるフインを備え、回転筒の回転によりフインが回転し、旋回流により上記噴射口より液体をアタッチメントに噴射することを特徴とする請求項２記載の洗浄器。
【発明の詳細な説明】
【技術分野】
【０００１】  本発明は、洗浄器に関し、特に顔の肌の汚れや皮脂を落として細胞を活性化する洗顔器に関している。
【背景技術】
【０００２】  女性が化粧を落とす方法として、一般にクレージングクリームを用いることが多く毎日のように行われている。また、クレージングクリームは化粧を落とすと共に顔面の皮脂や毛穴に入り込んだ汚れを取り除くものであるが手洗いでは十分ではない。このために、月に何度か時間を掛けて洗顔パック等を行っている例がある。【０００３】  さらに、顔面の肌は常に露出し、化粧品を使用することから傷みや老化を生じやすく、これを抑える方法として、肌のマッサージ等を行っている。【０００４】  従来洗顔マッサージ器は種々のものが提案されており、噴流により洗顔したり、吸引により皮膚の油脂分などの汚れを除去したり機能を有するものが商品化されている。【０００５】  前記のような汚れや皮脂を落とす方法として図９に示すように、アルカリ水と酸性水を生成する電解槽２６と、取り出した生成水を加熱する加熱部２５を備え、エアーポンプ２７により吐出口２４からパッド２３にスチームを出す。
始めにアルカリ水のスチームを顔面肌に当てて洗顔を行った後に酸性のスチームを肌に当ててマッサージを行う方法が提案されている。（例えば、特許文献１参照）【０００６】
【特許文献１】  特開平１０−３２８２６５号公報
【発明の開示】
【発明が解決しようとする課題】
【０００７】  しかし、従来例では、スチームを顔面の噴霧する方式であり洗浄が不十分であり、毛穴の奥に入り込んだ汚れは十分落とせるものではない。
毛穴の奥まで入り込んだ汚れを落とす方法として顔面を泡立て手で擦る方式が良く知られており、効果もあることが確認されているが、手洗いでは十分ではない。
この方式を装置化するのが望まれる。【０００８】  また、噴流を顔面に当てるだけでは顔面への押し圧が弱くマッサージ効果があまり期待できない。
また、マサージも顔面にパッドを当てがうだけでは効果はあまり期待できない。
回転機構のみを有するものでは、顔面に乾いたブラシ等を当てがい回転させるものがあるが、回転により肌を傷める場合がある。【０００９】  顔面に水を噴射しながらブラシ等で擦り泡立て洗浄する方式にすると肌に優しく洗浄効果が上がるとともにマッサージ効果が大となるが、アッタチメント等の先端の回転機構と、  先端からの噴射機構、及び水タンク等から噴射機構への水供給ラインを兼ね備えた機構が必要となる。
ブラシ等のアッタチメントを回転させる機構と、別ラインとした噴射口をアッタチメントのそばに配置し、アッタチメントを回転しながらから顔面に水を噴射させる方式が考えられるが、顔面全体に上下、左右に移動させながら洗浄する場合に、洗浄液がアッタチメントにかからなくなり、アッタチメントよりかき混ぜられなくて泡立たず流れ落ちるケースが生じる。洗浄効果が少なくなる不具合が多く発生する。
また、回転するアッタチメントと噴射口を一体とした場合には、噴射口へ水を供給する時に水密構造とする必要があるが、回転体での水密が難しい。【００１０】  また、水を供給するのにポンプ機構が必要になる。
水ポンプを設けるとスペイスを取ると共に更にコストアップになる。
このように先端の回転機構と、先端からの噴射機構、及び水タンクから噴射口への水供給ラインを兼ね備えた機構は、複雑で装置が大きくなりコストも高くなってしまうので商品化が困難であった。【００１１】  この発明は、上記課題を解決するためになされたもので、顔面に洗浄液等を噴射しながらブラシ等のアッタチメントで擦り泡立て、顔の肌の汚れや皮脂を落として細胞を活性するコンパクト機構で低コストの洗顔器を提供することである。
【課題を解決するための手段】
【００１２】  本発明に係わる洗浄器は請求項１に記載のように、
一端にアタッチメントを着脱自在に係合する中空の回転筒と、該回転筒を回転せしめる駆動部と、一端に噴射口を有し、上記回転筒の内部に配設された導液管と、上記導液管に液体を供給する供液部と、からなり、
上記供液部は、上記噴射口より上部に位置する貯液タンクを有し、該貯液タンクの液体が自然落下により上記導液管を介して噴射口からアタッチメントに噴射するとともに、上記回転筒の回転によりアタッチメントを回転せしめることを特徴とする。【００１３】  また、請求項２に記載のように、
一端にアタッチメントを着脱自在に係合する中空の回転筒と、該回転筒を回転せしめる駆動部と、上記回転筒の内部に液体を供給する供液部と、からなり、
上記回転筒は噴射口を備え、
上記供液部は、上記噴射口より上部に位置する貯液タンクを有し、該貯液タンクの液体が自然落下により上記回転筒を介して噴射口からアタッチメントに噴射するとともに、上記回転筒の回転によりアタッチメントを回転せしめることを特徴とする。【００１４】  また、請求項３に記載のように、
上記回転筒の内壁面に液体を旋回せしめるフインを備え、回転筒の回転によりフインが回転し、旋回流により上記噴射口より液体をアタッチメントに噴射することを特徴とする。
【発明の効果】
【００１５】  請求項１による発明の効果を説明する。
洗顔器は、一端にアタッチメントを着脱自在に係合する中空の回転筒と、該回転筒を回転せしめる駆動部と、一端に噴射口を有し、上記回転筒の内部に配設された導液管と、上記導液管に液体を供給する供液部とから構成されており、上記回転筒の回転によりアタッチメントが回転するとともに、上記導液管が噴射口から液体をアタッチメントに噴射するため、噴出口により顔面に例えば洗顔剤を注ぎながらブラシ等の洗浄アタッチメントにて顔面を擦り泡立たせながら洗顔することができる。
回転により流体を巻き込み泡立てながら顔面を擦るので、顔面の皮脂や毛穴に入り込んだ汚れを浮き出させて非常に良く取り除くことができる。【００１６】  また、顔面に水を注ぎながらのブラシ等の洗浄アタッチメントによる回転マッサージにより、従来の噴流を顔面にあてるだけ、又は、ブラシ等だけのマッサージに比べ泡を巻き込み潤滑剤の役割を果たしながらの顔面への適度な押し圧により、肌にやさしいマッサージ効果を与える。【００１７】  アタッチメントを回転させる回転筒の内部に導液管が配設され、噴射口から噴射することにより、先端の回転機構と先端からの噴射機構を兼ね備えた機構となる。
導液管の先端の噴射口はアタッチメントまで伸びており、洗浄液等がアタッチメントの中心に噴出し、顔面全体に上下、左右に移動させても洗浄液がアッタチメントによりかき混ぜられなくて泡立たず流れ落ちることがない。【００１８】  回転筒と導液管は分離されており、回転筒は回転するが、導液管は固定の装置となる。
導液管の先端の噴射口は回転筒の先端より伸びてアタッチメントまで達しており、回転筒と導液管の隙間には液体が流出しないので回転部のシールが不要となる。
回転筒と導液管の摺動部からの漏れや逆流が発生しない。
また、導液管、及び導液管への供液部が回転体とならないので水密とすべき接合部分や区画貫通部がシンプルでシールも簡単である。
また、導液管が中空の回転筒に挿入された軸受けを兼ねた一体構造となっているので回転筒の保持が容易になる。【００１９】  供液部として、噴射口より上部に位置する貯液タンクがあり、使用時に貯液タンクから自然落下により導液管へ供給されて噴出口から水を流出する機構であり、ポンプ等の送水機器が不要である。
このような先端の回転機構と、噴射機構、及び供給部を兼ね備えた機構となるため、コンパクトで安価な洗顔器となる。【００２０】  請求項２による発明の効果を説明する。
洗顔器は、一端にアタッチメントを着脱自在に係合する中空の回転筒と、該回転筒を回転せしめる駆動部と、上記回転筒の内部に液体を供給する供液部とから構成されているため、回転筒は導液管を兼用して、洗浄器の構造はシンプルである。
上記回転筒は噴射口を備え、回転筒の回転によりアタッチメントが回転するとともに、上記噴射口より液体をアタッチメントに噴射する。
回転筒が回転機構と噴射機構を兼ね備えた機構となるため、請求項１よりコンパクトである。【００２１】  請求項３による発明の効果を説明する。
回転筒の内壁面に液体を旋回せしめるフインを備え、回転筒の回転によりアタッチメントが回転するとともに、フインにより旋回流が生じ、上記噴射口より液体をアタッチメントに強く噴射する。
フインがポンプの役割を果たし、噴射力が強く洗浄効果が上がる。
【発明を実施するための最良の形態】
【００２２】  以下、この発明の各実施の形態は、洗顔器の図に基づいて説明する。また、使用する液体は、洗浄液を含んだ水である。各図において、同一または相当部材、部位について同符号を付して説明する。
【実施例１】
【００２３】  図１は、洗顔器１００の外観図の説明で、図２は、洗顔器１００の断面の説明図である。
アタッチメント４側に導液管８の噴出口１４があり、スイッチ６を入れるとアタッチメント４が回転しながら貯水タンク３の水を噴出する。
貯水タンク３の中の水のレベル位置は、後述の回転筒７の軸と同レベル噴射口１４の中心より高い位置であり、噴射口１４は大気に開放されており、貯水タンク３の底面には小穴があるので、貯水タンク３の中の水は自然落下により噴射口１４より流出する。
躯体ｂ２を手で握りながらアタッチメント４を顔面にあて、顔面に水を注ぎながらブラシ等の洗浄アタッチメントにて顔面を泡立て擦り洗顔する。【００２４】  回転筒７はクラウンギヤ９の回転軸であり、該クラウンギヤ９は歯車１０を介して駆動部であるモータ１２により回転する。
また、回転筒７にはアタッチメント４が図示しないピンで噛合しており、回転筒７の回転によりアタッチメント４も回転する。
ピン係合のアタッチメント４は容易に取り外しができるので色々のアタッチメントと交換できる。
アタッチメント４としては、スポンジ、ブラシ、凸凹板等があり、顔に当て水を出し泡立てながら回転することにより汚れを落とす。【００２５】  噴射口１４を有する導液管に水を供給する供液部は、貯水タンク３、貯水室１５から構成されている。
着脱式の底面に小穴のある貯水タンク３に水を入れて躯体ａ１に装着すると、水は重力により貯水室１５に流入する。
貯水室１５には空洞の導液管８の前端開口部があり、後端部の噴射口１４は大気に解放されている。
導液管８の噴射口１４の位置は貯水タンク３の水のレベル位置より低い位置であるので重力による自然落下により導液管８の噴射口１４から水が流出する。【００２６】  貯水室１５は、水密構造で隔壁１７を導液管８が貫通する部分は接着剤等でシールされている。
また、調整摘み５が貫通する摺動部分はパッキン等のシール材１６で水密にしてある。
貯水タンク３からの水は、貯水室１５の水密構造により外部に流出すること無く導液管８に流入する。【００２７】  貯水室１５には、沢山のトルマリン粒が格納されている。
貯水タンク３の水が重力による自然落下により導液管８に流入する時にトルマリン粒を通過させることでマイナスイオンを生成する。
マイナスイオンの水が導液管８を通り噴射口１４に供給される。【００２８】  また、スイッチ６を押すことにより電池１３の電池電源が図示しない配線により通電して駆動部としてのモータ１２が駆動し、回転筒７が回転する。
回転筒７の中を貫通している導液管８は、隔壁１７により接着保持されている。
導液管８は、回転筒７から分離独立して隔壁１７に接着固定されており、回転筒７を内側から保持する軸受けの役割を果たす。【００２９】  図３は、図２でのＡにおけるＡ方向の断面の説明図である。
躯体ａ１のなかにクラウンギヤ９の回転軸としての回転筒７があり、回転筒７の内部を導液管８があり回転筒７を内側から保持する軸受けの役割を果たしている。【００３０】  図４は、図２でのＢにおけるＢ方向の断面の説明図である。
躯体ａ１のなかにクラウンギヤ９の回転軸として回転筒７があり、回転筒７の内部を導液管８がある。
また、歯車１０がクラウンギヤ９に噛合しており、歯車１０はモータ１２の回転軸に挿入されているので、モータ１２の回転によりクラウンギヤ９が回転する。
なお、肌に優しいアタッチメント４の回転数は９００回／分程度が好ましいが、モータ１２の回転数に対して歯車１０とクラウンギヤ９のギヤ比で調整できる。【００３１】  図５は、アタッチメント４の説明図である。
アタッチメント４は回転筒７と係合フランジ２２により図示しないピン等で係合しており着脱自在である。
アタッチメント４の中心は透孔２１があり、水が通過する。
回転筒７と導液管８は分離されており、回転筒は回転するが、導液管は固定の装置となる。
導液管８の先端の噴射口１４は回転筒７の先端より飛び出してアタッチメント４の透孔２１まで伸びており、回転筒７と導液管８の隙間に液体が流出しないので回転部のシールが容易である。
回転筒７と導液管８の摺動部からの漏れや逆流が発生しない。
導液管８の先端の噴射口１４から噴出した水が透孔２１を通りスポンジ２０に流入する。水が洗浄液の場合は、洗浄液等を含んだスポンジ２０を回転させながら肌に当てると泡立て擦り洗浄する。
このように洗浄液等がアタッチメント４の中心に噴出するので、顔面全体に上下、左右に移動させても洗浄液がアッタチメントによりかき混ぜられなくて泡立たず流れ落ちることがない。【００３２】  このように実施例１では、
アタッチメント４が回転しながら水を流出し、擦り泡立て洗浄する。
顔面を洗顔液であわ立て洗いながらブラシ、スポンジ等のアタッチメントで摩擦するので化粧を落とすと共に顔面の皮脂や毛穴に入り込んだ汚れを取り除くのに大きな効果を発揮する。
また、トルマリン鉱石によるマイナスイオン効果を持った流体を顔面に接触させることができ、顔面肌の血行増大と細胞の活性化を促し、殺菌機能と相まって潤いのある美しい健康的な肌を生み出す。【００３３】  アタッチメント４を回転させる回転筒７の内部に導液管８が配設され、噴射口１４から噴射することにより、先端の回転機構と先端からの噴射機構を兼ね備えた機構となる。
回転筒と導液管は分離されており、回転筒は回転するが、導液管は固定の装置となる。導液管の先端の噴射口は回転筒の先端より伸びてアタッチメントの近くまで達しており、回転筒と導液管の隙間には液体が流出しないので回転筒の摺動部分のシールが容易である。
また、導液管、液体供液部は、回転体とならないので水密とすべき接合部分や区画貫通部分がシンプルでシールも簡単である。
また、導液管が中空の回転筒に挿入された軸受けを兼ねた一体構造になるので回転筒の保持が容易である。
なお、着脱式の貯水タンク３を装備して水を貯水室１５に供給するようにしたが、貯水室１５の容積を大きくして貯水タンクとし、貯水タンク３を省略しても良い。
また、洗顔器を防滴や防水構造にすると、お風呂に入りながら使用でき便利である。
【実施例２】
【００３４】  図６は、実施例２における洗顔器１００の断面の説明図である。
噴射口１４を有する回転筒７はクラウンギヤ９の回転軸であり、該クラウンギヤ９は歯車１０を介して駆動部であるモータ１２により回転する。
また、噴射口１４にはアタッチメント４が図示しないピンで係合しており、回転筒７の回転によりアタッチメント４も回転する。
なお、回転筒７の上記噴射口１４の反対側の端部は貯水室の隔壁１７を貫通している。【００３５】  前記噴射口１４に液体を供給する供液部は、貯水タンク３、貯水室１５から構成されている。
着脱式の貯水タンク３に水を入れて躯体ａ１に装着すると、水は重力により貯水室１５に流入する。
貯水室１５には空洞の回転筒７の前端部があり、後端部は大気に解放されている。
回転筒７の回転軸のレベルは噴射口１４の中心と同レベルで、該位置は貯水タンク３の水のレベル位置より低いので、重力による自然下により回転筒７の後端部の噴射口１４から水が流出する。【００３６】  貯水室１５は、水密構造で隔壁１７を回転筒７が貫通する部分はパッキン等のシール材１６でシールされている。
また、調整摘み５が貫通する摺動部分もパッキン等のシール材１６で水密にしてある。
貯水タンク３からの水は、貯水室１５の水密構造により外部に流出すること無く回転筒７に流入する。【００３７】  スイッチ６を押すことにより電池１３の電池電源が図示しない配線により通電して駆動部としてのモータ１２が駆動し、歯車１０を介して回転筒７が回転する。
回転筒７は、両端をシール材１６により保持されている。
回転筒７とシール材１６の接触する摺動部分は滑りの良い材質を使用して抵抗を少なくし、回転筒７の回転力を阻害しない。【００３８】  回転筒７は噴射口１４を備え、回転筒の回転によりアタッチメントが回転するとともに、噴射口より液体をアタッチメントに噴射する。
回転筒が回転機構と噴射機構を兼ね備えた機構となるため、導液管を省き実施例１よりコンパクトである。
なお、トルマリンの効果、及び貯水室１５の容積を大きくして貯水タンクとして貯水タンク３を省略可能なことは実施例１と同様である。
【実施例３】
【００３９】  図７は、実施例３における洗顔器１００の断面の説明図である。
噴射口１４を有する回転筒７はクラウンギヤ９の回転軸であり、該クラウンギヤ９は歯車１０を介して駆動部であるモータ１２により回転する機構は実施例２と同様である。【００４０】  噴射口１４にはアタッチメント４が図示しないピンで係合しており、回転筒７の回転によりアタッチメント４も回転する。
回転筒７の前記噴射口１４の反対側の端部は貯水室の隔壁１７を貫通している構造は実施例２と同様である。【００４１】  前記噴出口に水を供給する供液部は、給水口１８、貯水室１５から構成されている。
回転筒７の内壁面にフイン１９を備え、回転筒７の回転によりフイン１９が回転して旋回流を起こし、噴射口１４より水を強い力で噴射する。【００４２】  図８は、図７でのＣにおけるフイン１９の断面の説明図である。
フイン１９は、回転筒７の内壁面に設けられており、回転筒７の軸心に一定の角度を持った、等ピッチに板を配置し、回転筒７の回転により流体が旋回流を生じるようにしてある。【００４３】  実施例３では、回転筒７の内壁面に液体を旋回せしめるフイン１９を備え、回転筒の回転によりフインが回転し、旋回流により上記噴射口１４より水をアタッチメントに強く噴射する。
噴射力が強く洗浄効果を高める。
フイン１９がポンプの役割を果たす。
なお、フイン１９の代わりにスクリュウ等のような旋回流を起こすものであれば良い。
【図面の簡単な説明】
【００４４】
【図１】  本発明の実施例１における、洗顔器１００の外観図の説明図である。
【図２】  洗顔器１００の断面の説明図である。
【図３】  図２でのＡにおけるＡ方向の断面の説明図である。
【図４】  図２でのＢにおけるＢ方向の断面の説明図である。
【図５】  アタッチメント４の説明図である。
【図６】  実施例２における洗顔器１００の断面の説明図である。
【図７】  実施例３における洗顔器１００の断面の説明図である。
【図８】  図７でのＣにおけるフイン１９の断面の説明図である。
【図９】  文献１の実施例の説明図である。
【符号の説明】
【００４５】  １        躯体ａ
２        躯体ｂ
３        貯水タンク
４        アタッチメント
５        調整摘み
６        スイッチ
７        回転筒
８        導液管
９        クラウンギヤ
１０      歯車
１１      トルマリン粒
１２      モータ
１３      電池
１４      噴出口
１５      貯水室
１６      シール材
１７      隔壁
１８      給水口
１９      フイン
２０      スポンジ
２１      透孔
２２      係合フランジ
２３      パッド
２４      吐出口
２５      加熱部
２６      電解槽
２７      エアーポンプ
【図１】
2008154982.tif 000003
【図２】
2008154982.tif 000004
【図３】
2008154982.tif 000005
【図４】
2008154982.tif 000006
【図５】
2008154982.tif 000007
【図６】
2008154982.tif 000008
【図７】
2008154982.tif 000009
【図８】
2008154982.tif 000010
【図９】
2008154982.tif 000011